(57)【特許請求の範囲】
【請求項１】
封口シールテープが付着された面を上向きにして、かつ前記封口シールテープが搬送される方向とは逆方向側に向くように載置されたボタン型電池を所定方向に搬送する搬送体と、
前記搬送体の進行方向に対して角度をズラして配置され、かつ搬送体面に載置されたボタン型電池の周面部に対接して搬送をガイドする磁石内蔵型の第１の搬送ガイドと、
前記第１の搬送ガイドに対向して配置され、ボタン型電池の封口シールテープ先端部の端面に対接する立ち上がり面、および該立ち上がり面に対して垂直に設けられ、封口シールテープ先端部の一方の面に対接する面を有する逆Ｌ字型の第２の搬送ガイドと
を具備する封口シールテープ付きボタン型電池の整列装置。
【発明の詳細な説明】
【０００１】
【発明の属する技術分野】
本発明は封口シールテープ付きボタン型電池の整列装置に係り、さらに詳しくは、封口シールテープ付きボタン型電池を搬送過程で整列化する整列装置に関する。
【０００２】
【従来の技術】
補聴器やベージャー用などの駆動電源として、たとえばボタン型空気亜鉛電池が注目されている。そして、この種の空気亜鉛電池は、酸素を正極活物質として使用するため、予め正極側に酸素を取り込む孔が設置されており、使用前に電池系の反応が行われないように、封口シールテープで酸素を取り込む孔を封止した状態を採っている。換言すると、封口シールテープの有無によって未使用か否かを判別し得る構成を採っている。
【０００３】
また、この種のボタン型電池は、他の電池の場合と同様に、製造の最終的な工程で、封口シールテープを所定の箇所に貼着してから、市販などに当たっての商品性もしくは美観性など考慮して、パッケージングしている。このため、製造ラインの最終的な段階では、封口シールテープが貼着されたボタン型電池を方向付けした配列とし、パッケージングし易いことが望まれる。
【０００４】
しかし、前記搬送ライン上での整列化に当たっては、一般的に、貼着された封口シールテープが脆弱で破損など起こし易いので、通常人手によって一定方向に整列化し、パッケージング（包装パック化）に供している。つまり、手作業によって、所定の包装パックの各ボタン型電池収納部に、封口シールテープ付きボタン型電池をそれぞれ位置合わせしながら装着する手段（包装パック化）が採られている。
【０００５】
【発明が解決しようとする課題】
しかしながら、前記のように封口シールテープ付きボタン型電池を、対応する包装パックなどに人手によって位置決め・装着することは、ボタン型電池の需要増大や量産性に十分対応できない。すなわち、包装スピードが遅くて量産に対応し得ないし、また人海戦術方式を採ると、コストアップを招来するばかりでなく、人手による取扱過程で、貼着してある封口シールテープの汚損・破損などが発生し、商品性も損なわれ易いという不都合な問題がある。
【０００６】
換言すると、ボタン型電池の需要増大や量産性に十分対応可能な、封口シールテープ付きボタン型電池の包装パック化が望まれていながら、実用上満足し得るような自動的な整列化、もしくは一定の方向性を付与できる封口シールテープ付きボタン型電池の整列装置は、未だ開発されていないのが現状である。
【０００７】
本発明はこのような事情に対処してなされたもので、需要増大や量産に十分対応して、封口シールテープ付きボタン型電池を容易に、また確実に方向付けもしくは整列化できる整列装置の提供を目的とする。
【０００８】
【課題を解決するための手段】
請求項１の発明は、封口シールテープが付着された面を上向きにして、かつ前記封口シールテープが搬送される方向とは逆方向側に向くように載置されたボタン型電池を所定方向に搬送する搬送体と、前記搬送体の進行方向に対して角度をズラして配置され、かつ搬送体面に載置されたボタン型電池の周面部に対接して搬送をガイドする磁石内蔵型の第１の搬送ガイドと、前記第１の搬送ガイドに対向して配置され、ボタン型電池の封口シールテープ先端部の端面に対接する立ち上がり面、および該立ち上がり面に対して垂直に設けられ、封口シールテープ先端部の一方の面に対接する面を有する逆Ｌ字型の第２の搬送ガイドとを具備する封口シールテープ付きボタン型電池の整列装置である。
【０００９】
すなわち、本発明は搬送体による封口シールテープ付きボタン型電池の進行方向を搬送ガイドで規制し、前記ボタン型電池に偶力を与え、搬送過程で平面的に回転させる一方、前記搬送ガイトによって封口シールテープの方向性、強いてはボタン型電池に一定の方向性を持たせ、整列化することを骨子としている。
【００１０】
なお、前記第１の搬送ガイドが内蔵する磁石は、ボタン型電池の摺動的な対接・移動を可能としながら、第１の搬送ガイドの被摺動面からボタン型電池が妄りに離脱しない程度の保持性を有していればよい。
【００１１】
請求項１の発明では、封口シールテープ付きボタン型電池は対向する一対の搬送ガイドにより搬送体の進行方向に対して角度をズラされる。そして、前記角度ズレによって、ボタン型電池の周面部は、先ず第２の搬送ガイド面に対接し、摺動しながら搬送体の移動作用と相俟って平面的な回転を起こす。この搬送されるボタン型電池の平面的な回転に伴って、封口シールテープ先端部が第２の搬送ガイドの立上がり面に対接して一定の方向性が付与されると、ボタン型電池は第１の搬送ガイド側に回転しながら押され、その周面部が第１の搬送ガイドの摺動面に対接・吸着されて、確実に所定の整列・搬送がなされる。
【００１２】
つまり、本発明に係る手段では、容易かつ正確に、また封口シールテープの破損など生じることなく、ボタン型電池を所定の方向に整列化し、たとえば包装パックに対する容易な装着・収納を可能とする。
【００１３】
【発明の実施の形態】
以下図１および図２を参照して本発明の実施例を説明する。
【００１４】
図１は本発明に係る封口シールテープ付きボタン型電池整列装置の概略構成を平面的に、図２は図１の A-A線に沿って断面的にそれぞれ示したものである。
【００１５】
図１および図２において、１は封口シールテープ付きボタン型電池２を載置して所定方向に搬送する搬送体、３は前記搬送体１の進行方向（矢印）に対して角度をズラして配置され、かつ搬送体１面に載置されたボタン型電池２の周面部に摺動的に対接して、ボタン型電池２の搬送をガイドする磁石3aを内蔵する第１の搬送ガイドである。
【００１６】
また、４は前記第１の搬送ガイド３に対向して配置され、ボタン型電池２の封口シールテープ2a先端部を立上がり面4aに対接させて方向を制御する逆Ｌ字型の第２の搬送ガイドである。ここで、前記第２の搬送ガイド４の対向先端面部4bは、前記搬送されるボタン型電池２の周面部に摺動的に対接しながら搬送ガイドする。  この整列装置の構成では、搬送体１は一般的にエンドレス型のベルトコンベアが望ましく、また、一対の搬送ガイド３，４は対向面を平行とし、かつ前記搬送体１の進行方向に対して、たとえば 3〜 7°（この実施例では 5°）程度の角度で斜交する状態に配置されている。そして、この搬送ガイド３，４の長さや対向間隔あるいは形状などは、対象とする封口シールテープ付きボタン型電池の種類，大きさなどによって適宜選択・設定する。
【００１７】
次に、前記構成の封口シールテープ付きボタン型電池整列装置の動作に付いて説明する。先ず、搬送体１の移動に伴って搬送体１の進行方向に移動する封口シールテープ付きボタン型電池２が、搬送ガイド３，４の配置領域に到達したとき、ボタン型電池２の周面部は、逆Ｌ字型の第２の搬送ガイド４の対向先端面部4bに摺動的に対接する。このとき、搬送体１の進行方向に対して、 5°斜交している第２の搬送ガイド４の対向先端面部4bによって方向が規制される。
【００１８】
そして、この方向規制および搬送・移動により、ボタン型電池２に偶力が作用し、この偶力の作用で搬送過程にあるボタン型電池２は平面的な回転を発生し、貼着されている封口シールテープ2aの先端部が、逆Ｌ字型の第２の搬送ガイド４の立上がり面4aに対接する。この封口シールテープ2a先端部の第２の搬送ガイド４の立上がり面4a対接により、搬送過程にあるボタン型電池２の平面的な回転は抑制ないし停止され、ボタン型電池２は一定の方向性が与えられる（整列化される）。
【００１９】
一方、平面的な回転が抑制ないし停止されたボタン型電池２は、第１の搬送ガイド３側に押される形となって、ボタン型電池２周面部は第１の搬送ガイド３面に摺動・対接しながら、第１の搬送ガイド３に内蔵されている磁石3aによって吸着・保持されて、封口シールテープ付きボタン型電池２の方向付け（整列化）が最終的になされる。このようにして、第２の搬送ガイド４側を主体として、一旦与えられたボタン型電池２の方向性は、第１の搬送ガイド３側を主体とする方向保持性により確実に確保れる。
【００２０】
前記搬送装置における封口シールテープ付きボタン型電池２の搬送過程における一定方向付け、もしくは整列化例について説明する。ここでは、搬送体１を3000cm／ minの速度走行させ、また、搬送体１の速度走行方向に対して 5°の角度で長さ20cmの搬送ガイド３，４を設置して、封口シールテープ付きボタン型電池２を、前記搬送ガイド３，４設置領域を搬送・通過させたところ、封口シールテープ付きボタン型電池２は、平面的な回転を行って、順次ラベル2aの位置が変化して、最終的には封口シールテープ2aの先端部が第２の搬送ガイド４の立上がり面4aに対接し、ボタン型電池２の回転も停止して、常にかつ確実に一定の方向性が与えられた。
【００２１】
このように、たとえば電池の製造ラインにおいて、連続的に封口シールテープ付きボタン型電池を整列化できることは生産性などの点で多くの利点をもたらすことになる。
【００２２】
なお、本発明は上記例示の手段に限定されるものでなく、本発明の趣旨を逸脱しない範囲でいろいろの変形を採り得る。
【００２３】
【発明の効果】
請求項１の発明によれば、封口シールテープ付きボタン型電池は、その搬送過程で容易に一定の方向性が付与され、確実に所定の整列がなされる。つまり、本発明に係る手段では、煩雑な操作や多くの人手などを不要としながら、容易かつ正確に、また封口シールテープの破損など生じることなく、封口シールテープ付きボタン型電池を所定の方向に整列化し、たとえば包装パックに対する容易な装着・収納を可能とし、多量生産体制などにも着実に対応でき、生産性などに大きく寄与することが可能となる。
【図面の簡単な説明】
【図１】本発明に係るボタン型電池搬送装置の要部構成例を示す平面図。
【図２】図１の A-A線に沿った拡大断面図。
【符号の説明】
１……搬送体
２……封口シールテープ付きボタン型電池
2a……封口シールテープ
３……第１の搬送ガイド
４……第２の搬送ガイド
4a……第２の搬送ガイドの立上がり面
4b……第２の搬送ガイドの対向先端部
【図１】
0003925950.tif 000002
【図２】
0003925950.tif 000003